(57)【要約】【課題】  糞を回収した回収袋の抜け落ちを防止する。また、回収袋に触れることなく、手元の操作だけで、回収袋を取り外す。【解決手段】  固定リング部２１と、この固定リング部２１を支持する所定の長さを有する把手部２２とが、一体に形成された本体２と、本体２に軸止され、この軸２ａを中心に回動する回動体３と、を備え、回動体３には、回動リング部３１が形成され、固定リング部２１と回動リング部３１は、所定のリング幅を有するとともに、いずれか一方のリング部外側面と他方のリング部内側面との間に回収袋４を挟み込み可能に形成され、外側に位置するリング部が径方向に縮小可能、及び／又は内側に位置するリング部が径方向に拡大可能な弾性部材からなる構成としてある。【選択図】      図２
0003145660.tif 000002
【実用新案登録請求の範囲】
【請求項１】
二つのリングの間に回収袋の口縁部を挟んで糞を回収する犬用糞取器であって、
固定リング部と、この固定リング部を支持する所定の長さを有する把手部とが、一体に形成された本体と、
前記本体に軸止され、この軸を中心に回動する回動体と、を備え、
前記回動体には、回動リング部が形成され、
前記固定リング部と前記回動リング部は、所定のリング幅を有するとともに、いずれか一方のリング部外側面と他方のリング部内側面との間に回収袋を挟み込み可能に形成され、
外側に位置するリング部が径方向に縮小可能、及び／又は内側に位置するリング部が径方向に拡大可能な弾性部材からなることを特徴とする犬用糞取器。
【請求項２】
前記回動リング部と前記固定リング部の対向する側面に、凹凸部を設けた請求項１記載の犬用糞取器。
【請求項３】
前記回動体に、前記回動リング部と軸対称となる方向に伸びる操作柄部を形成した請求項１又は２記載の犬用糞取器。
【考案の詳細な説明】
【技術分野】
【０００１】
本考案は、犬用糞取器に関し、特に、脱糞時に犬の尻部に差出して糞を回収する犬用糞取器に関する。
【背景技術】
【０００２】
従来から、犬の糞が地上に落下する前に、糞を回収する犬用糞取器には、種々のものが提案されている。これらは、把手となる柄と、この柄の先端に糞を回収する回収袋の口縁部を挟み込む二つのリングとから構成されている（例えば、特許文献１〜５）。
【０００３】
【特許文献１】実開昭６１−１７３２６１号公報
【特許文献２】実開平６−４５４４２号公報
【特許文献３】実開平６−８４８４２号公報
【特許文献４】特開２００１−５４３３２号公報
【特許文献５】特開２００３−１５８９３７号公報
【考案の開示】
【考案が解決しようとする課題】
【０００４】
大型犬の糞を回収する場合、糞の量も多く、回収した袋も相当に重くなることがある。上記の特許文献に記載の考案や発明のように、二つのリングで回収袋を挟み込むだけでは、保持力が十分でないと、散歩時の振動等で、糞を回収した袋がリングから抜け落ちてしまうことがあった。
【０００５】
また、糞を回収後、回収袋の口縁部に糞が付着していることが多い。なるべくなら、回収袋に触れることなく、糞取器から回収袋を取り外したいものである。
ところが、上記の特許文献に記載された考案では、糞取器から回収袋を取り外す際に、袋に触れる構成となっており、好ましいものではなかった。
【０００６】
さらに、二つのリングの係止（嵌合）状態を解除する場合、フック等を外して解除するようになっているが、この場合、把手を一方の手で持ちながら、他方の手でフックを外す構成となっており、回収袋を取り外すときの操作性が悪いものとなっていた。
また、フック等は回収袋に触れる部分に設けられ、フック等を解除するに際し、手を汚す場合があった。
【０００７】
本考案は、以上のような問題を解決するために提案されたものであり、糞を回収した回収袋が抜け落ちることなく、確実に保持することができる。また、回収袋に触れることなく、手元の操作だけで、回収袋を簡単に取り外すことができる画期的な犬用糞取器の提供を目的とする。
【課題を解決するための手段】
【０００８】
上記目的を達成するため、本考案の犬用糞取器は、二つのリングの間に回収袋の口縁部を挟んで糞を回収する犬用糞取器であって、固定リング部と、この固定リング部を支持する所定の長さを有する把手部とが、一体に形成された本体と、前記本体に軸止され、この軸を中心に回動する回動体と、を備え、前記回動体には、回動リング部が形成され、前記固定リング部と前記回動リング部は、所定のリング幅を有するとともに、いずれか一方のリング部外側面と他方のリング部内側面との間に回収袋を挟み込み可能に形成され、外側に位置するリング部が径方向に縮小可能、及び／又は内側に位置するリング部が径方向に拡大可能な弾性部材からなる構成としてある。
【０００９】
このような構成とすることにより、まず、回動リング部と固定リング部は、所定のリング幅を有することから、一方のリング部外側面と他方のリング部内側面との間に回収袋を挟み込みこんだ状態では、当接した各側面により回動体の回動が制限される。これにより、糞を回収した回収袋の抜け落ちを防止することができる。
さらに、外側に位置するリング部が径方向に縮小可能、及び／又は内側に位置するリング部が径方向に拡大可能な弾性部材からなることから、一方のリング部外側面と他方のリング部内側面との間に回収袋を挟み込みこんだ状態で、回収袋がこの弾性力によって各側面にほぼ均等に押し付けられ、糞を回収した回収袋を強力に挟み込むことができる。
【００１０】
また、本考案の犬用糞取器は、前記回動リング部と前記固定リング部の対向する側面に、凹凸部を設けた構成とすることができる。
このように回動リング部と固定リング部の対向する側面に凹凸部を設けることで、この凹凸部で回収袋が係止され、糞を回収した回収袋の抜け落ちが確実に解消される。
【００１１】
また、本考案の犬用糞取器は、前記回動体に、前記回動リング部と軸対称となる方向に伸びる操作柄部を形成した構成とすることができる。
このように回動体に、回動リング部と軸対称となる方向に伸びる操作柄部を形成することで、一方のリング部外側面と他方のリング部内側面との間に回収袋を挟み込んだ状態では、操作柄部は、回動リング部と反対方向となる把手部の方向に位置することになる。
【００１２】
これにより、把手部を片手に握った状態で、この手の親指等で操作柄部を操作し、各リング部を離間させる方向に回動体を回動させることができる。
その結果、糞を回収した回収袋は、ある程度の重みを有していることから、各リング部が離間した状態にあるときには、各リング部から回収袋が自重により抜け落ちる。
このように、片手だけの操作で、まったく回収袋に手を触れずに、犬用糞取器から回収袋を取り外すことができる。
【考案の効果】
【００１３】
本考案の犬用糞取器によれば、糞を回収した回収袋が抜け落ちることなく、確実に保持することができ、また、回収袋に触れることなく、手元の操作だけで、回収袋を簡単に取り外すことができる。
【考案を実施するための最良の形態】
【００１４】
以下、本考案に係る犬用糞取器の好ましい実施形態について、図面を参照して説明する。
図１は、本考案の一実施形態に係る犬用糞取器の全体の構成を示す概略斜視図であり、図２は、本考案の一実施形態に係る犬用糞取器に回収袋を取り付ける状態を示す図である。また、図３は、図１のＸ−Ｘ断面図であって、本考案の一実施形態に係る犬用糞取器の凹凸部が回収袋を係止している状態を示す図である。
【００１５】
これらの図に示すように、本実施形態の犬用糞取器は、二つのリング部の間に回収袋の口縁部を挟み、これらのリング部を支持する把手部を持って、犬の尻部にリング部を差出すことで、糞を回収する犬用糞取器１である。
本実施形態の犬用糞取器１で使用する回収袋４は、消耗品であり、ポリエチレン、ポリプロピレン、ポリ塩化ビニルなどからなる買い物に使用する所謂ポリ袋や、紙袋を利用することができる。
【００１６】
各図に示すように、本実施形態の犬用糞取器１は、本体２と、回動体３とで構成されている。
本体２は、棒状に形成された一のステンレス板（約２ｔ）を、曲げ加工によって、虫眼鏡や虫取り網の枠のような形に成形したものである。
本体２には、回収袋４の口縁部４１を引掛ける環状の固定リング部２１と、この固定リング部２１を支持し、飼い主が手で持つ部分である把手部２２とが一体に形成されている。
この本体２は、棒状のステンレス板をほぼ中央付近で曲げ、曲げた部分を環状に形成することで、固定リング部２１とし、ステンレス板を折り返して重ねた部分を把手部２２（長さ約２８０ｍｍ）としたものである。
【００１７】
把手部２２には、重なった二つのステンレス板を螺着した接合部２２１が設けられている。本実施形態では、ネジ等の鋲ら類で接合したが、溶接等により溶着することもできる。
また、把手部２２には、引掛孔２２２が設けられている。この引掛孔２２２により、本実施形態の犬用糞取器１を、壁などに取り付けたフック等に引掛け、吊下げることができる。
【００１８】
固定リング部２１は、一のステンレス板を環状に湾曲させた部分であり、軸２ａによって、リング径の拡張が制限されている。
そのため、固定リング部２１は、棒形状に復元しようとする応力が残留しており、リング径を縮小する方向（図２中のＢ方向）の外力が加わると、弾性をもって、これに抗する力が作用する。
また、固定リング部２１の外側面には凹部２１１が二箇所に形成されている。この凹部２１１は、左右対称に設けられ、後述する回動リング部３の内側面に形成された凸部３１１と嵌合するようになっている。
【００１９】
次に、回動体３は、本体２と同様、棒状に形成された一のステンレス板（約２ｔ）を、環状に湾曲させ、この環状の部分に回動リング部３１を形成したものである。
回動体３は、把手部２２を内側に挟むように、軸２ａを介して、本体２に取り付けられ、軸２ａを中心に回動する。
このように回動体３が軸２ａを中心に回動することで、犬用糞取器１は、図１に示すように、固定リング部２１と回動リング部３１とが重なり、回収袋４を挟み込む態様と、図２に示すように、固定リング部２１と回動リング部３１とが離間し、回収袋４を着脱できる態様とに、形態が変化する。
【００２０】
回動リング部３１は、回収袋４を挟み込む態様では、回動リング部３１の内側面と固定リング部２１の外側面とが対向し、二つのリング部が重なり合う。
回動リング部３１と固定リング部２１は、所定のリング幅（約１０ｍｍ）を有しており、回収袋４を挟み込んだ態様では、回動リング部３１の内側面が、固定リング部２１の外側面に当接し、回動体３の回動が制限される。これにより、糞を回収した回収袋４の抜け落ちを防止することができる。
【００２１】
さらに、固定リング部２１のリング外径（約１４０ｍｍ）は、回動リング部３１のリング内径（約１４０ｍｍ）と同じ、又は固定リング部２１のリング外径の方か僅かに大きくなっている。
いずれの場合であっても、回動リング部３１の内側面と固定リング部２１の外側面とが対向しているときには、回動リング部３１の内側面と固定リング部２１の外側面は、隙間ゼロで面接触している。
回収袋４は、所定の厚みを有することから、回動リング部３１の内側面と固定リング部２１の外側面との間に回収袋４が挟み込まれると、固定リング２はリング径が縮小する方向（図２のＢ方向）に弾性をもって撓む。
ところが、固定リング２は、復元しようとして、回動リング部３１の内側面を押圧することから、回収袋４は、固定リング２の外側面と回動リング部３１の内側面との間に、ほぼ均等に隙間なく押し付けられ、強力に保持される。
【００２２】
また、回動リング部３１の内側面には、凸部３１１が二箇所設けてある。この凸部３１１は、回動リング部３１の内側面と固定リング部２１の外側面とが対向する回収袋４を挟み込む態様では、前述の固定リング部２１の外側面に形成した凹部２１１と嵌合する。
これにより、図３に示すように、凹部２１１と凸部３１１との間に回収袋４が係止され、糞を回収した回収袋４の抜け落ちが確実に解消される。
【００２３】
このように構成された本実施形態の犬用糞取器１は、以下に示すように使用する。
まず、図２に示すように、回動体３を、軸２ａを中心に回動させ、回動リング部３１を、固定リング部２１から離間させた状態にする。
そして、口縁部４１を折り返した回収袋４を、固定リング部２１に係合しつつ、回動体３をＡの方向に回動させる。
このとき、回動リング部３１の内側面が、特に、固定リング部２１と把手部２２との連結部分である拡縮部２１ａをリング径が縮小する方向（図２のＢ方向）に圧縮することで、回動リング部３１の内側に固定リング部２１を容易に収めることができるようになっている。
【００２４】
固定リング部２１が回動リング部３１の内側に収まると、固定リング部２１はリング径を拡大する方向（図２のＣ方向）に復元する。その結果、回収袋４は、回動リング部３１の内側面と固定リング部２１の外側面との間に、強力に挟み込まれる（図３参照）。
そして、図１に示すように、把手部２２を手に持って、犬の尻部に回収袋４を挟み込んだ固定リング部２１と回動リング部３１を差出すことで、糞を回収することができる。
回収後には、回動体３に、Ａ方向と反対に回動させる外力を加え、凹部２１１と凸部３１１との係止状態を解除するとともに、回動リング部３１を固定リング部２１から離間させることで、回収袋４を簡単に取り外すことができる。
【００２５】
次に、異なる実施形態となる本考案の犬用糞取器１を、図４に示す。
同図に示す犬用糞取器１は、回動体３に、回動リング部３１と軸対称となる方向に伸びる操作柄部３２を設けた実施形態を示している。
操作柄部３２は、回転モーメントを増大させるため、軸２ａからその先端部（操作端３２１）まで、所定の長さを有して形成されている。これにより、先端部に僅かな力を加えるだけで、凹部２１１と凸部３１１との係止状態が解除されるとともに、回動体３を回動させ、回収袋４を挟み込んだ態様から、回収袋４を着脱可能な態様にすることができる。
さらに、回収袋４を挟み込む態様において、操作柄部３２は、回動リング部３１と反対方向に位置し、把手部２２に重なった状態となっている。
そのため、操作柄部３２は、把手部２２を握った状態で、握った手の手元に位置することになり、操作柄部３２を指等で操作し、回収袋４に触れることなく、回動体３を回動することができる。
【００２６】
そこで、例えば、握った右手の親指等で、操作柄部３２を図４中Ｄの方向に押し下げることで、回動体３を、軸２ａを中心に回動させ、回動リング部３１を固定リング部２１から容易に離間させることができる。
また、操作柄部３２には、押し下げ操作が容易にできるように、操作柄部３２の先端部を曲げた操作端３２１を形成してある。
【００２７】
そして、二つのリング部を離間させた状態にすると、糞を回収した回収袋４は、ある程度の重みを有することから、回収袋４は自重により固定リング部２１から抜け落ちる。
このように操作柄部３２を設けることで、回収袋４に触れることなく、二つのリング部を離間することができることから、回収袋４に糞が付着していても、飼い主は手を汚すことなく犬用糞取器１から回収袋４を取り外すことができる。
【００２８】
以上説明したように、本実施形態の犬用糞取器１によれば、糞を回収した回収袋が抜け落ちることなく、確実に保持することができ、また、回収袋に触れることなく、手元の操作だけで、回収袋を簡単に取り外すことができる。
【００２９】
以上、本考案の犬用糞取器について、好ましい実施形態を示して説明したが、本考案に係る犬用糞取器は、上述した実施形態にのみ限定されるものではなく、本考案の範囲で種々の変更実施が可能であることは言うまでもない。
【００３０】
例えば、本実施形態では、本体２及び回動体３をステンレスで形成したが、軽量かつ剛性を有する金属、例えば、アルミ等を使用することもできる。また金属に限らず、樹脂により形成することもできる。さらに、樹脂と金属とを組合せた構成としてもよい。
また、本実施形態では、凹凸部を二箇所設けたが、一箇所としてもよいし、又は三箇所以上設けてもよい。なお、凹凸部を複数設ける場合は、均等に配置することが好ましい。
【００３１】
また、本実施形態では、内側に位置する固定リング部２１が、弾性をもって回動リング部３１の内側面を押圧する構成としたが、外側に位置する回動リング部３１が、弾性をもって固定リング部２１の外側面を押圧する構成とすることもできる。
この場合、回動リング部３１の内径をあらかじめ固定リング部２１の外径より小さくなるように形成するとともに、回動リング部３１がリング径方向に拡縮可能となるように、軸２ａに遊着しておくことが好ましい。
これにより、回収袋４を固定リング部２１に係合させ、回動リング部３１との間に挟み込む際には、回動リング部３１がリング径方向に拡大することで、挟み込み操作が容易となるとともに、回収袋４を挟み込んだ後には、回動リング部３１の内側面が、固定リング部２１の外側面を押圧することで、保持力を確保することができる。
【００３２】
また、本実施形態では、回動リング部３１が、固定リング部２１の外側に位置するように設けたが、反対に、回動リング部３１が、固定リング部２１の内側に位置するように設けてもよい。
すなわち、固定リング部２１の内側面と回動リング部３１の外側面との間に、回収袋４を挟み込む構成とすることもできる。
【産業上の利用可能性】
【００３３】
本考案は、犬用のみならず、猫や他の動物用の糞取器に広く利用することができる。
【図面の簡単な説明】
【００３４】
【図１】本考案の一実施形態に係る犬用糞取器の全体の構成を示す概略斜視図である。
【図２】本考案の一実施形態に係る犬用糞取器に回収袋を取り付ける状態を示す図である。
【図３】本考案の一実施形態に係る犬用糞取器の凹凸部が回収袋を係止している状態を示す図である。
【図４】本考案の一実施形態に係る操作柄部を形成した犬用糞取器の概略斜視図である。
【符号の説明】
【００３５】
１  犬用糞取器
２  本体
２ａ  軸
２１  固定リング部
２２  把手部
３  回動体
３１  回動リング部
３２  操作柄部
【図１】
0003145660.tif 000003
【図２】
0003145660.tif 000004
【図３】
0003145660.tif 000005
【図４】
0003145660.tif 000006